(57)【要約】【課題】本考案は、延長ソケットのディスプレーに消費電力量を表示し、消費電力量が大きすぎる場合に使用者に警告を行うことのできる延長ソケットを提供することを課題とする。【解決手段】延長ソケットが、回路と、プラグを挿入するためのソケットが複数設けられたハウジングと、該ハウジングの一端に設けられたプラグを有する延長用ケーブルとを有し、ハウジングの表面にディスプレーが設けられ、回路がソケットの電流を測定し消費電力量を計算するＭＰＵ及び警報器を含み、ディスプレーに、前記消費電力量が表示され、ソケットの電流が規定値を超えると、前記ＭＰＵが前記警報器を駆動し、警報用音声を発生することによる。【選択図】図２
0003119204.tif 000002
【実用新案登録請求の範囲】
【請求項１】
回路と、プラグを挿入するためのソケットが複数設けられたハウジングと、該ハウジングの一端に設けられたプラグを有する延長用ケーブルとを具備する、延長ソケットにおいて、
前記ハウジングの表面にディスプレーが設けられ、
前記回路が、ソケットの電流を測定し消費電力量を計算するＭＰＵ及び警報器を含み、
前記ディスプレーに、前記消費電力量が表示され、
前記ソケットの電流が規定値を超えると、前記ＭＰＵが前記警報器を駆動し、警報用音声を発生することを特徴とする、延長ソケット。
【請求項２】
前記ディスプレーが、ＬＣＤディスプレーであることを特徴とする、請求項１に記載の延長ソケット。
【請求項３】
前記警報器が、前記ＭＰＵと連接されたブザー回路と、該ブザー回路に連接されたスピーカとを含むことを特徴とする、請求項１又は２に記載の延長ソケット。
【請求項４】
前記回路が、交流電流を直流電流に変換する電源回路を含むことを特徴とする、請求項１〜３の何れか一に記載の延長ソケット。
【請求項５】
前記ＭＰＵが、発振回路と、ＡＣ／ＤＣ信号変換回路とに連接されることを特徴とする請求項１〜４の何れか一に記載の延長ソケット。
【請求項６】
前記ＭＰＵが、ソケットに電流を分配する分流回路と連接されることを特徴とする、請求項１〜５の何れか一に記載の延長ソケット。
【請求項７】
前記ハウジングに、前記ソケットの電力供給状態を示す、指示ランプが設けられたことを特徴とする、請求項１〜６の何れか一に記載の延長ソケット。
【考案の詳細な説明】
【技術分野】
【０００１】
本考案は、延長ソケットに関し、特に、ディスプレーに消費電力量を表示でき、電流が大きすぎる場合には、警報用音声を発生できる、延長ソケットに関する。
【背景技術】
【０００２】
多くの電化製品が使用される現在、延長ソケットが広汎に使用されるようになった。従来の延長ソケットは、複数の差込口が設けられたハウジングの一端に延長用ケーブルが設けられ、延長用ケーブルの他端には、他のソケットに挿入して電力を得るプラグが設けられる。延長用ケーブルにより、離れた箇所からの電力供給が可能となる。
【０００３】
また、他の延長ソケットとしては、回路にヒューズが設けられ、消費電力量が多すぎる場合や消費電力量が異常上昇した場合に、ヒューズが焼けて断線し、事故の発生を防止する。しかしながら、このような延長ソケットでは、使用者はヒューズが焼けて断線されたときに異常電流の発生をはじめて知覚し、ヒューズの断線を事前に予防することはできない。
【０００４】
特開2000-241465号（特許文献１）及び特開2000-147014号（特許文献２）では、「簡易型電力量表示器」が開示され、ソケットにＬＥＤディスプレーが設けられ、ソケット内部の回路には回路測定装置が組付けられ、これによって、消費電力量がＬＥＤディスプレーに表示されるものである。消費電力量がＬＥＤディスプレーに表示され、消費電力量を使用者が確認できるので、事故を未然に防止することができる。このＬＥＤディスプレーは、各ソケットに１つ設けられ、単一の電化製品の消費電力量のみを表示することが可能であり、他の電化製品の消費電力量を知るため、使用者はＬＥＤディスプレーの数値を絶えず確認する必要がある。
【特許文献１】特開2000-241465号公報
【特許文献２】特開2000-147014号公報
【考案の開示】
【考案が解決しようとする課題】
【０００５】
本考案の目的は、延長ソケットの消費電力量が大きすぎる場合に、使用者に警告を行うことのできる延長ソケットを提供することである。本考案の更なる目的は、使用者が追加的に電気製品をソケットに接続する際の消費電力量が許容値であるかを判断することのできる延長ソケットを提供することである。
【課題を解決するための手段】
【０００６】
本考案者は、鋭意研究を重ねた結果、延長ソケットにディスプレーを設け、ディスプレーに消費電力量を示し、また、延長ソケット内部に警報器を設けることによって、上記課題を解決する延長ソケットを完成した。
【０００７】
すなわち、本考案の延長ソケットは、以下よりなる。
１、回路と、プラグを挿入するためのソケットが複数設けられたハウジングと、該ハウジングの一端に設けられたプラグを有する延長用ケーブルとを具備する、延長ソケットにおいて、
前記ハウジングの表面にディスプレーが設けられ、
前記回路が、ソケットの電流を測定し消費電力量を計算するＭＰＵ及び警報器を含み、
前記ディスプレーに、前記消費電力量が表示され、
前記ソケットの電流が規定値を超えると、前記ＭＰＵが前記警報器を駆動し、警報用音声を発生することを特徴とする、延長ソケット。
２．前記ディスプレーが、ＬＣＤディスプレーであることを特徴とする、前項１に記載の延長ソケット。
３．前記警報器が、前記ＭＰＵと連接されたブザー回路と、該ブザー回路に連接されたスピーカとを含むことを特徴とする、前項１又は２に記載の延長ソケット。
４．前記回路が、交流電流を直流電流に変換する電源回路を含むことを特徴とする、前項１〜３の何れか一に記載の延長ソケット。
５．前記ＭＰＵが、発振回路と、ＡＣ／ＤＣ信号変換回路とに連接されることを特徴とする前項１〜４の何れか一に記載の延長ソケット。
６．前記ＭＰＵが、ソケットに電流を分配する分流回路と連接されることを特徴とする、前項１〜５の何れか一に記載の延長ソケット。
１７．前記ハウジングに、前記ソケットの電力供給状態を示す、指示ランプが設けられたことを特徴とする、前項１〜６の何れか一に記載の延長ソケット。
【考案の効果】
【０００８】
本考案によれば、ディスプレーに現在の消費電力量を表示し、消費電力量が大きくなりすぎる場合に警告を発し、さらに、使用者が追加的に電気製品をソケットに接続する際の消費電力量が許容値であるかを判断することができる。
【考案を実施するための最良の形態】
【０００９】
以下に、本考案の一実施形態を示し、具体的に説明するが、本考案はこれらに限定されるものではない。
【００１０】
図１に示すように、本考案の警報機能付き電力表示延長ソケットは、ハウジング１０を有し、ハウジング１０にはプラグを挿入して電力を供給するためのソケット１１が複数設けられている。ハウジング１０にはソケット１１の電力供給状態を示す、指示ランプ１２を設けてもよい。ハウジング１０の一端に、プラグ１４を有する延長用ケーブル１３が設けられる。
【００１１】
ハウジング１０にはディスプレー１５が取り付けられ、また、ハウジング１０内部には警報器が設けられる。ディスプレー１５は、延長ソケットの消費電力量を表示し、ＬＣＤディスプレーを用いることもできる。警報器は、警報用音声を発生するために用いられ、スピーカを用いることもできる。
【００１２】
図２は本考案の回路図であり、プラグ１４より電力が供給され、電源回路２１により１００ボルトの交流電流が３ボルトの直流電流に変換され、ＭＰＵ（マイクロプロセッサー）２０に供給される。発振回路２２とＡＣ／ＤＣ信号変換回路２４とは、ＭＰＵ２０と連接する。ＭＰＵ２０は複数のソケット１１に電流を分配する分流回路２３と連接する。上記のような回路設計のため、回路全体の容積が小型化され、延長ソケットのハウジング１０内に収容することができる。
【００１３】
ＭＰＵ２０は、延長ソケットの電流を測定し消費電力量を算出して、デジタル化されたＬＣＤディスプレー１５に消費電力量を数値にて表示する。交流電流が１５Ａを越した場合、ＭＰＵ２０はブザー回路２５によってスピーカ２６を駆動して音声を発生し、使用者に注意を促す。
【産業上の利用可能性】
【００１４】
本考案により、使用者はディスプレーを通し延長ソケットの消費電力が許容範囲内であるかを判断でき、延長ソケットの消費電力が許容範囲内に保たれ、延長ソケットの使用寿命が長い延長ソケットを製造可能となる。また、延長ソケットの交流電流が１５Ａを越すと警告用の音声が発生されるので、使用に際する安全性の向上した延長ソケットを製造可能となる。
【図面の簡単な説明】
【００１５】
【図１】本考案の延長ソケットの斜視図である。
【図２】本考案の延長ソケットの回路図である。
【符号の説明】
【００１６】
１０  ハウジング
１１  ソケット
１２  指示ランプ
１３  延長用ケーブル
１４  プラグ
１５  ディスプレー
２０  ＭＰＵ
２１  電源回路
２２  発振回路
２３  分流回路
２４  ＡＣ／ＤＣ信号変換回路
２５  ブザー回路
２６  スピーカ
【図１】
0003119204.tif 000003
【図２】
0003119204.tif 000004